(57)【要約】【課題】  傾いて編集されたオブジェクトの印刷データを作成する印刷データ編集装置、及び、コンピュータに印刷データを作成させる印刷データ編集プログラムを提供する。【解決手段】  印刷指示がされた際に、印刷する印刷オブジェクトが回転されていれば、印刷オブジェクトの回転を戻した印刷データが作成される。次いで、パターンテーブルから回転角度に対応するパターン（回転された十字印）が取得されて、印刷データの四隅に十字印２１０，２２０，２３０，２４０が付加される。よって、傾いていない状態で、傾きの度合いを示す印が付与された印刷オブジェクトが印刷される。そして、十字印を、印刷結果を貼り付ける対象の水平方向及び垂直方向に平行になるように配置すると、編集画面に表示されていた傾きと同じ傾きで印刷結果を貼り付けることができる。【選択図】  図４
2006099325.tif 000002
【特許請求の範囲】
【請求項１】
印刷装置で印刷を行うための印刷データを編集する印刷データ編集装置であって、
印刷される写真、文字、絵、模様などである印刷オブジェクトを編集するために、当該印刷オブジェクトを表示する表示手段と、
当該表示手段に表示されている前記印刷オブジェクトを回転させる回転手段と、
当該回転手段で回転された角度に関する情報である回転角情報を記憶する回転角情報記憶手段と、
前記表示手段に表示されている前記印刷オブジェクトの前記印刷データを作成する印刷データ作成手段とを備え、
前記印刷データ作成手段は、前記表示手段に回転されて表示されている前記印刷オブジェクトの前記印刷データを作成する際には、前記印刷オブジェクトが印刷された印刷物に回転角を認識可能な印を印刷するためのデータを前記印刷データに付与する回転角度表示データ付与手段を備えたことを特徴とする印刷データ編集装置。
【請求項２】
前記印は、
回転前の前記印刷オブジェクトの水平方向又は垂直方向の少なくとも一方の方向に平行な線又は面、
回転前の前記印刷オブジェクトの水平方向又は垂直方向の少なくとも一方の方向に平行な線又は面を含む模様で作られた前記印刷オブジェクトを縁取る縁取り枠、又は、
回転されている当該印刷オブジェクトが他の前記印刷オブジェクトに重ねられている場合における、当該印刷オブジェクトに重なっている前記印刷オブジェクトの所定の線又は面の境界線に平行な線又は面のうちの少なくとも１つであることを特徴とする請求項１に記載の印刷データ編集装置。
【請求項３】
印刷装置で印刷を行うための印刷データを編集する処理をコンピュータに実行させるための印刷データ編集プログラムであって、
印刷される写真、文字、絵、模様などである印刷オブジェクトを編集するために、当該印刷オブジェクトを表示する表示手段に表示されている前記印刷オブジェクトを回転させる回転ステップと、
当該回転ステップで回転された角度に関する情報である回転角情報を記憶する回転角情報記憶ステップと、
前記表示手段に表示されている前記印刷オブジェクトの前記印刷データを作成する印刷データ作成ステップとを備え、
前記印刷データ作成ステップは、前記表示手段に回転されて表示されている前記印刷オブジェクトの前記印刷データを作成する際には、前記印刷オブジェクトが印刷された印刷物に回転角を認識可能な印を印刷するためのデータを前記印刷データに付与する回転角度表示データ付与ステップを備えたことを特徴とする印刷データ編集プログラム。
【請求項４】
前記印は、
回転前の前記印刷オブジェクトの水平方向又は垂直方向の少なくとも一方の方向に平行な線又は面、
回転前の前記印刷オブジェクトの水平方向又は垂直方向の少なくとも一方の方向に平行な線又は面を含む模様で作られた前記印刷オブジェクトを縁取る縁取り枠、又は、
回転されている当該印刷オブジェクトが他の前記印刷オブジェクトに重ねられている場合における、当該印刷オブジェクトに重なっている前記印刷オブジェクトの所定の線又は面の境界線に平行な線又は面のうちの少なくとも１つであることを特徴とする請求項３に記載の印刷データ編集プログラム。
【発明の詳細な説明】
【技術分野】
【０００１】
本発明は、印刷データ編集装置及び印刷データ編集プログラムに関するものであり、詳細には、編集画面にて回転表示されているオブジェクトの回転を解除して印刷する印刷データを編集する印刷データ編集装置及び印刷データ編集プログラムに関する。
【背景技術】
【０００２】
従来、画像処理ソフトやワープロソフトなどでは、通常、作成者は所望する印刷物の完成品のイメージを画面上で編集しており、印刷が実行された場合には、通常、画面上で編集したイメージがそのまま印刷される。また、文字や画像等のオブジェクトを選択して印刷を指示すれば、選択されたオブジェクトのみ印刷されるという機能を持つ画像処理ソフトやワープロソフトもあるが、あくまでも編集画面に表示されている通りに印刷が行われる。
【０００３】
昨今、「スクラップブッキング」というホビーが楽しまれている。このスクラップブッキングは、従来のようにアルバムにただ写真を並べて貼り付けるだけではなく、テーマ付けを行い、そのテーマに沿った写真を台紙に様々な手法で飾り付けて楽しむものである。このようなスクラップブッキングでは、写真に様々な加工ができるため、フィルム写真でなくデジタルカメラの画像データが使用されることがある。また、写真の他にそのページのテーマ、テーマに関するジャーナル（日付やエピソード、感想などの記録）を載せるために、デジタルデータのイラストや模様、文字などを印刷したものが貼り付けられることもある。また、ポスターなどの印刷物を掲示する場合には、人目を惹くためや、その印刷物の印刷内容によっては印刷物を傾けて掲示したい場合がある。
【０００４】
また、従来、印刷物の余白にマーキングを施すような印刷方法が提案されている。例えば、特許文献１に記載のプリンタ及び印刷方法では、裁断の目印を印字している。また、例えば、特許文献２に記載の印刷媒体、印刷方法、および記録媒体では、複数の印刷媒体に印刷された画像を貼り合わせて印刷物を完成させる際の、印刷媒体の裁断と貼り合わせ位置の目印を印字している。また、例えば、特許文献３に記載のプリンタドライバでは、１ページのデータを複数の用紙に分けて拡大印刷するポスター印刷機能の貼り合わせの位置や貼り合わせの順序を印字している。
【０００５】
【特許文献１】特開２００２−２８３６４２号公報
【特許文献２】特開２００２−２８３６４５号公報
【特許文献３】特開２００３−２７１３５３号公報
【発明の開示】
【発明が解決しようとする課題】
【０００６】
しかしながら、編集画面においてオブジェクトを傾けて表示されたオブジェクトのみを印刷する場合、傾けたまま印刷をすると被印刷媒体の無駄が生じるという問題点がある。そこで、オブジェクトを傾けずに印刷を行えば、被印刷媒体の無駄は少なくなるが、印刷物を掲示したり、貼り付けたりする際に、どれくらい傾ければよいのかがわからなくなってしまうという問題点がある。尚、特許文献１，２，３に記載の発明は、印刷物の貼り合わせの位置や裁断の位置などの目印を付与するものであり、印刷物の傾き度合いを示すものではない。
【０００７】
本発明は、上述の問題点を解決するためになされたものであり、傾いて編集されたオブジェクトの印刷データを作成する印刷データ編集装置、及び、コンピュータに印刷データを作成させる印刷データ編集プログラムを提供しようとするものである。
【課題を解決するための手段】
【０００８】
上記課題を解決するため、請求項１に係る発明の印刷データ編集装置では、印刷装置で印刷を行うための印刷データを編集する印刷データ編集装置であって、印刷される写真、文字、絵、模様などである印刷オブジェクトを編集するために、当該印刷オブジェクトを表示する表示手段と、当該表示手段に表示されている前記印刷オブジェクトを回転させる回転手段と、当該回転手段で回転された角度に関する情報である回転角情報を記憶する回転角情報記憶手段と、前記表示手段に表示されている前記印刷オブジェクトの前記印刷データを作成する印刷データ作成手段とを備え、前記印刷データ作成手段は、前記表示手段に回転されて表示されている前記印刷オブジェクトの前記印刷データを作成する際には、前記印刷オブジェクトが印刷された印刷物に回転角を認識可能な印を印刷するためのデータを前記印刷データに付与する回転角度表示データ付与手段を備えたことを特徴とする構成となっている。
【０００９】
また、請求項２に係る発明の印刷データ編集装置では、請求項１に記載の発明の構成に加えて、前記印は、回転前の前記印刷オブジェクトの水平方向又は垂直方向の少なくとも一方の方向に平行な線又は面、回転前の前記印刷オブジェクトの水平方向又は垂直方向の少なくとも一方の方向に平行な線又は面を含む模様で作られた前記印刷オブジェクトを縁取る縁取り枠、又は、回転されている当該印刷オブジェクトが他の前記印刷オブジェクトに重ねられている場合における、当該印刷オブジェクトに重なっている前記印刷オブジェクトの所定の線又は面の境界線に平行な線又は面のうちの少なくとも１つであることを特徴とする構成となっている。
【００１０】
また、請求項３に係る発明の印刷データ編集プログラムでは、印刷装置で印刷を行うための印刷データを編集する処理をコンピュータに実行させるための印刷データ編集プログラムであって、印刷される写真、文字、絵、模様などである印刷オブジェクトを編集するために、当該印刷オブジェクトを表示する表示手段に表示されている前記印刷オブジェクトを回転させる回転ステップと、当該回転ステップで回転された角度に関する情報である回転角情報を記憶する回転角情報記憶ステップと、前記表示手段に表示されている前記印刷オブジェクトの前記印刷データを作成する印刷データ作成ステップとを備え、前記印刷データ作成ステップは、前記表示手段に回転されて表示されている前記印刷オブジェクトの前記印刷データを作成する際には、前記印刷オブジェクトが印刷された印刷物に回転角を認識可能な印を印刷するためのデータを前記印刷データに付与する回転角度表示データ付与ステップを備えたことを特徴とする構成となっている。
【００１１】
また、請求項４に係る発明の印刷データ編集プログラムでは、請求項３に記載の発明の構成に加えて、前記印は、回転前の前記印刷オブジェクトの水平方向又は垂直方向の少なくとも一方の方向に平行な線又は面、回転前の前記印刷オブジェクトの水平方向又は垂直方向の少なくとも一方の方向に平行な線又は面を含む模様で作られた前記印刷オブジェクトを縁取る縁取り枠、又は、回転されている当該印刷オブジェクトが他の前記印刷オブジェクトに重ねられている場合における、当該印刷オブジェクトに重なっている前記印刷オブジェクトの所定の線又は面の境界線に平行な線又は面のうちの少なくとも１つであることを特徴とする構成となっている。
【発明の効果】
【００１２】
請求項１に係る発明の印刷データ編集装置では、表示手段は、印刷される写真、文字、絵、模様などである印刷オブジェクトを編集するために、印刷オブジェクトを表示し、回転手段は、表示手段に表示されている印刷オブジェクトを回転させ、回転角情報記憶手段は、回転手段で回転された角度に関する情報である回転角情報を記憶し、印刷データ作成手段は、表示手段に表示されている印刷オブジェクトの印刷データを作成することができる。また、印刷データ作成手段に備えられている回転角度表示データ付与手段は、表示手段に回転されて表示されている印刷オブジェクトの印刷データを作成する際には、印刷オブジェクトが印刷された印刷物に回転角を認識可能な印を印刷するためのデータを印刷データに付与することができる。したがって、回転している印刷オブジェクトが回転のない状態で印刷されるので、用紙の無駄を省くことができる。さらに、印刷結果において回転角を認識できるので、どのくらい傾けてその印刷結果を使用すればよいかがわかる。
【００１３】
また、請求項２に係る発明の印刷データ編集装置では、請求項１に記載の発明の効果に加えて、回転角を認識可能な印を、回転前の印刷オブジェクトの水平方向又は垂直方向の少なくとも一方の方向に平行な線又は面、回転前の印刷オブジェクトの水平方向又は垂直方向の少なくとも一方の方向に平行な線又は面を含む模様で作られた印刷オブジェクトを縁取る縁取り枠、又は、回転されている印刷オブジェクトが他の印刷オブジェクトに重ねられている場合における、印刷オブジェクトに重なっている印刷オブジェクトの所定の線又は面の境界線に平行な線又は面のうちの少なくとも１つとすることができる。したがって、印刷結果の印を水平方向や垂直方向に合わせたり、縁取り枠の模様を水平方向や垂直方向に合わせたり、重ねて配置される印刷オブジェクトの印刷結果の線や面、印刷結果との境界線に合わせたりすることによって、印刷結果の回転度合いを認識することができる。
【００１４】
また、請求項３に係る発明の印刷データ編集プログラムでは、コンピュータを、印刷される写真、文字、絵、模様などである印刷オブジェクトを編集するために、印刷オブジェクトを表示する表示手段に表示されている印刷オブジェクトを回転させる回転ステップと、回転ステップで回転された角度に関する情報である回転角情報を記憶する回転角情報記憶ステップと、表示手段に表示されている印刷オブジェクトの印刷データを作成する印刷データ作成ステップとして機能させ、表示手段に回転されて表示されている印刷オブジェクトの印刷データを作成する際には、印刷オブジェクトが印刷された印刷物に回転角を認識可能な印を印刷するためのデータを印刷データに付与する回転角度表示データ付与ステップを印刷データ作成ステップとして機能させることができる。したがって、回転している印刷オブジェクトが回転のない状態で印刷されるので、用紙の無駄を省くことができる。さらに、印刷結果において回転角を認識できるので、どのくらい傾けてその印刷結果を使用すればよいかがわかる。
【００１５】
また、請求項４に係る発明の印刷データ編集プログラムでは、請求項３に記載の発明の効果に加えて、コンピュータに、回転前の印刷オブジェクトの水平方向又は垂直方向の少なくとも一方の方向に平行な線又は面、回転前の印刷オブジェクトの水平方向又は垂直方向の少なくとも一方の方向に平行な線又は面を含む模様で作られた印刷オブジェクトを縁取る縁取り枠、又は、回転されている印刷オブジェクトが他の印刷オブジェクトに重ねられている場合における、印刷オブジェクトに重なっている印刷オブジェクトの所定の線又は面の境界線に平行な線又は面のうちの少なくとも１つを回転角を認識可能な印として扱わせることができる。したがって、印刷結果の印を水平方向や垂直方向に合わせたり、縁取り枠の模様を水平方向や垂直方向に合わせたり、重ねて配置される印刷オブジェクトの印刷結果の線や面、印刷結果との境界線に合わせたりすることによって、印刷結果の回転度合いを認識することができる。
【発明を実施するための最良の形態】
【００１６】
以下、本発明の実施の形態を図面を参照して説明する。図１は、本発明の印刷データ編集プログラムを搭載した、印刷データ編集装置１の電気的構成を示すブロック図である。図１に示すように、印刷データ編集装置１には、印刷データ編集装置１の制御を司るＣＰＵ１０が設けられ、ＣＰＵ１０には、各種のデータを一時的に記憶するＲＡＭ１１と、ＢＩＯＳ等を記憶したＲＯＭ１２と、データの受け渡しの仲介を行うＩ／Ｏインタフェイス１３とが接続されている。Ｉ／Ｏインタフェイス１３には、ハードディスク装置１８が接続され、当該ハードディスク装置１８には、オブジェクト情報記憶エリア１８０と、印刷データ記憶エリア１８１と、パターンテーブル記憶エリア１８２と、プログラム記憶エリア１８３と、その他の情報記憶エリア１８４とが設けられている。
【００１７】
尚、オブジェクト情報記憶エリア１８０には、編集画面上で編集されている印刷オブジェクトの種々の属性が記憶されている。印刷データ記憶エリア１８１には、印刷指令が成された際にプリンタ２に送信される印刷データが記憶される。パターンテーブル記憶エリア１８２には、印刷結果に付与される回転角を示す印のパターンが記憶されている。プログラム記憶エリア１８３にはＣＰＵ１０で実行される印刷データ編集プログラムが記憶されており、その他の情報記憶エリア１８４には、印刷データ編集装置１で使用されるその他の情報が記憶されている。
【００１８】
また、Ｉ／Ｏインタフェイス１３には、マウス３３と、ビデオコントローラ１４と、キーコントローラ１５と、ＣＤ−ＲＯＭドライブ１６と、ＦＤドライブ１７とが接続され、ビデオコントローラ１４にはディスプレイ３４が接続され、キーコントローラ１５にはキーボード３５が接続されている。なお、ＣＤ−ＲＯＭドライブ１６に挿入されるＣＤ−ＲＯＭ３６には、印刷データ編集プログラムが記憶されており、導入時に、印刷データ編集プログラムは、ＣＤ−ＲＯＭ３６からハードディスク装置１８にセットアップされてプログラム記憶エリア１８３に記憶されるようになっている。また、ＦＤドライブ１７では、フレキシブルディスク（以下、ＦＤとする）３７の読み取りや書き込みが可能となっている。また、Ｉ／Ｏインタフェイス１３には、プリンタ２が接続されており、本発明の印刷データ編集プログラムで作成された印刷データを印刷することができる。
【００１９】
尚、印刷データ編集プログラムは、ＣＤ−ＲＯＭ３６から印刷データ編集装置１へ導入するのではなく、ＦＤ３７から導入してもよく、また、ＤＶＤ等他の記憶媒体を読み取るドライブを接続して、それらの記憶媒体から導入するようにしてもよい。また、印刷データ編集装置１をＬＡＮやインターネットに接続し、他のコンピュータからネットワークを介して導入してもよい。また、図１において、プリンタ２は印刷データ編集装置１に直接接続しているが、これはネットワークを介して接続したプリンタであっても良いことはいうまでもない。また、プリンタ２は連続用紙を印刷するものであっても、カット用紙を印刷するものであってもよく、被印刷媒体は紙に限らず、シールやテープであってもよい。
【００２０】
次に、図２を参照して、印刷データ編集プログラムにおいて表示され、スクラップブックの完成品をイメージしつつ、スクラップブックに貼り付けるための印刷物の編集を行うスクラップブッキング編集ウィンドウ１００について説明する。図２は、スクラップブッキング編集ウィンドウ１００のイメージ図である。
【００２１】
図２に示すように、スクラップブッキング編集ウィンドウ１００では、「ファイル」、「編集」、「挿入」、「書式」、「ツール」、「ウィンドウ」、「ヘルプ」といった操作指示を行うためのツールバー１０２がウィンドウ上部に表示されており、スクラップブッキング編集ウィンドウ１００のほとんどを占める作業領域１０３には、スクラップブックの完成品のイメージであるスクラップブックイメージ１０１が表示されている。ツールバー１０２の各メニューをマウス３３やキーボード３５を操作することにより、印刷データ編集プログラムに対して種々の指示を与える。ここで、スクラップブックイメージ１０１を参照して、本実施の形態で扱われる印刷オブジェクトの種類について説明する。本実施の形態では、印刷オブジェクトの種類は、「写真」、「文字」、「イラスト」の３種類が扱われる。
【００２２】
「写真」は、デジタルカメラ等で撮影された写真画像データによる印刷オブジェクトである。例えば、ツールバー１０２の「挿入」メニューを選択することにより表示されるリストボックスの中から「写真」を選択することにより、挿入する写真の画像ファイルを選択する画面（図示外）が表示される。そして、挿入する写真の画像ファイルを指定すると、写真オブジェクトが作業領域１０３上に表示される。図２に示す例では、栗を持っている女の子が写っている写真の写真オブジェクト１１１（スクラップブックイメージ１０１の上部中央）、山と木が写っている写真の写真オブジェクト１１２（スクラップブックイメージ１０１の右下）が作成されている。
【００２３】
また、「文字」は、作業領域１０３上で入力された文字データである。例えば、ツールバー１０２の「挿入」メニューを選択することにより表示されるリストボックスの中から「文字」を選択することにより、文字オブジェクトが表示され、その文字オブジェクトに文字を入力する。尚、この文字オブジェクトでは、文字サイズ、フォント種類、文字オブジェクト内での文字の配置などを指定することができる。また、文字色、下線、白抜き、斜体、太字などの文字修飾設定を行うことができる。図２に示す例では、文字オブジェクト１２１には「栗ひろい」、文字オブジェクト１２２には「２００４．０９．１１  ｓａｔ」の文字が入力されている。
【００２４】
また、「イラスト」は、画像編集ソフト等で作成されたり、スキャナで取り込まれたりした絵や模様などの画像データによるイラストオブジェクトであり、写真の画像データを含まないものである。例えば、ツールバー１０２の「挿入」メニューを選択することにより表示されるリストボックスの中から「イラスト」を選択することにより、挿入するイラストの画像ファイルを選択する画面（図示外）が表示される。そして、挿入するイラストの画像ファイルを指定すると、イラストオブジェクトが作業領域１０３上に表示される。図２に示す例では、スクラップブックイメージ１０１の上端に表示されている波模様のイラストオブジェクト１３１、スクラップブックイメージ１０１の左下に表示されている栗３つのイラストオブジェクト１３２、写真オブジェクト１１１の四隅に配置されている写真枠のイラストオブジェクト１３３，１３４，１３５，１３６、スクラップブックイメージ１０１の下端に表示されている波模様のイラストオブジェクト１３７が作成されている。
【００２５】
これらの印刷オブジェクトに関する属性情報（オブジェクト種類、配置の階層、台紙に対する配置位置、画像のサイズ、回転角度、画像形成用のドットデータなど）は、オブジェクト情報記憶エリア１８０に記憶されており、マウス３３やキーボード３５からの入力により内容が変更された場合には、このオブジェクト情報記憶エリア１８０の内容が更新され、作業領域１０３の表示も更新される。
【００２６】
次に、図３を参照して、印刷結果に付与される回転角を示す印のパターンが記憶されているパターンテーブルの一例であるパターンテーブル１８２１について説明する。図３は、パターンテーブル１８２１の模式図である。このパターンテーブル１８２１はパターンテーブル記憶エリア１８２に記憶されている。図３に示すように、１０°毎に所定のパターンの画像データが記憶されている。図３に示す例では、時計回りの方向への回転角度で３５５°以上５°未満は傾きのない十字印、５°以上１５°未満は左に約１０°傾いた十字印、１５°以上２５°未満は左に約２０°傾いた十字印、２５°以上３５°未満は左に約３０°傾いた十字印が記憶されている。そして、３５°以上３２５°未満は省略されており、３２５°以上３３５°未満は右に約３０°傾いた十字印、３３５°以上３４５°未満は右に約２０°傾いた十字印、３４５°以上３５５°未満は右に約１０°傾いた十字印が記憶されている。
【００２７】
次に、図４を参照して、図２の写真オブジェクト１１２に図３に示した印が付与された印刷結果２００のイメージ図について説明する。図２のスクラップブッキング編集ウィンドウ１００では、写真オブジェクト１１２は時計回りの方向に３３０°回転している。そこで、パターンテーブル１８２１の３２５°以上３３５°未満のパターンが読み出されて、印刷結果２００の四隅に十字印２１０，２２０，２３０，２４０が付与されている。この四隅の十字印２１０，２２０，２３０，２４０の十字を台紙の水平方向、垂直方向に合わせて印刷結果を台紙に貼り付けると、スクラップブッキング編集ウィンドウ１００で完成品のスクラップブックをイメージしたのと同じ傾きで貼り付けることができる。
【００２８】
ここで、本発明の印刷データ編集装置及び印刷データ編集プログラムの動作について、図５乃至図７のフローチャートを参照して説明する。図５はメイン処理の主な処理を示したフローチャートであり、図６はメイン処理の中で実施される編集処理のフローチャートであり、図７はメイン処理の中で実施される印刷処理のフローチャートである。図５に示すように、まず、マウス３３やキーボード３５からの入力が受け付けられ（Ｓ１）、その入力が編集（文字の入力、印刷オブジェクトのサイズ変更や移動、オブジェクトの挿入など）の指示であれば（Ｓ２：ＹＥＳ）、編集処理が行われる（Ｓ４、図６参照）。また、入力が印刷指示であれば（Ｓ２：ＮＯ，Ｓ３：ＹＥＳ）、印刷処理が行われる（Ｓ５、図７参照）。また、編集指示データも印刷指示データもなければ（Ｓ２：ＮＯ，Ｓ３：ＮＯ）、その他の処理が行われる（Ｓ６）。そして、マウス３３やキーボード３５からの入力が受け付けられ（Ｓ７）、終了の指示が成されているか否かの判断が行われ（Ｓ８）、マウス３３やキーボード３５から終了の指示が入力されていれば（Ｓ８：ＹＥＳ）、本処理は終了する。また、終了指示が成されていなければ（Ｓ８：ＮＯ）、Ｓ２へ戻り、受け付けられた入力の指示判断（Ｓ２，Ｓ３）及びその指示に従った処理（Ｓ４，Ｓ５，Ｓ６）が行われる。そして、終了の指示が成されるまでは（Ｓ８：ＹＥＳ）、繰り返しＳ２〜Ｓ８の処理が行われて、マウス３３やキーボード３５からの指示に対する処理が行われる。
【００２９】
尚、終了指示の入力は、例えば、スクラップブッキング編集ウィンドウ１００のツールバー１０２で「ファイル」を選択し、そして表示されるリストボックスの中で「終了」を選択することにより行われる。また、編集を指示する入力は、例えば、スクラップブッキング編集ウィンドウ１００のツールバー１０２で「挿入」を選択し、そして表示されるリストボックスの中から印刷オブジェクトの種類（「写真」、「文字」、「イラスト」）を選択して印刷オブジェクトを新たに挿入することや、既に表示されている印刷オブジェクトを選択し、ツールバー１０２で「編集」を選択し、そして表示されるリストボックスの中から編集内容（「回転」、「文字入力」、「属性変更」など）を選択することなどにより行われる。また、印刷を指示する入力は、例えば、スクラップブッキング編集ウィンドウ１００のツールバー１０２で「ファイル」を選択し、そして表示されるリストボックスの中で「印刷」を選択することにより行われる。
【００３０】
次に、図６を参照して、編集処理について説明する。まず、指示された編集内容が印刷オブジェクトの挿入であるか否かの判断が行われる（Ｓ１１）。本実施の形態では、例えばツールバー１０２で「挿入」を選択し、そして表示されるリストボックスの中から印刷オブジェクトの種類が選択された際に、印刷オブジェクト挿入指示がなされたと判断される（Ｓ１１：ＹＥＳ）。印刷オブジェクトの挿入であれば（Ｓ１１：ＹＥＳ）、印刷オブジェクトが挿入される（Ｓ１３）。写真オブジェクト又はイラストオブジェクトの挿入であれば、印刷オブジェクト指定画面（図示外）が表示される。この画面では、挿入される写真オブジェクト又はイラストオブジェクトのファイルを指定することができ、この画面において、挿入されるオブジェクトのファイルを指定することにより、挿入オブジェクトの指定が行われる。また、文字オブジェクトであれば、文字オブジェクトの領域枠が表示されるので、その領域内に文字を入力することにより文字オブジェクトの挿入が行われる。そして、挿入された印刷オブジェクトの種々の情報がオブジェクト情報記憶エリア１８０に記憶され（Ｓ１４）、作業領域１０３に表示するための表示用データが作成される（Ｓ１５）。そして、作成された表示用データが作業領域１０３に表示され（Ｓ２０）、処理は終了し、メイン処理へ戻る。
【００３１】
また、操作指示が印刷オブジェクトの挿入でなく（Ｓ１１：ＮＯ）、印刷オブジェクトの回転指示であるか否かの判断が行われる（Ｓ１２）。そして、印刷オブジェクトの回転指示であれば（Ｓ１２：ＹＥＳ）、回転角度の設定の入力受付が行われる（Ｓ１６）。本実施の形態では、例えば、ツールバー１０２で「編集」を選択し、そして表示されるリストボックスの中から「回転」が選択された際に、印刷オブジェクトの回転指示がなされたと判断される（Ｓ１２：ＹＥＳ）。すると、回転角度の設定のために回転角度設定画面（図示外）が表示される。そこで、回転角度（例えば、時計回り方向への回転角度）を数値入力、又は、リストボックスやラジオボタンからの選択入力がなされると、その入力値又は選択値が受け付けられる（Ｓ１６）。そして、オブジェクト情報記憶エリア１８０に記憶され（Ｓ１７）、回転後の表示用データが作成され（Ｓ１８）、作成された表示用データが作業領域１０３に表示され（Ｓ２０）、処理は終了し、メイン処理へ戻る。
【００３２】
尚、操作指示が印刷オブジェクトの挿入でなく（Ｓ１１：ＮＯ）、印刷オブジェクトの回転指示データもない場合には（Ｓ１２：ＮＯ）、指示に対応したその他の処理が行われ（Ｓ１９）、作業領域１０３の表示イメージが更新されて（Ｓ２０）、処理は終了し、メイン処理へ戻る。
【００３３】
次に、図７を参照して、印刷処理について説明する。まず、次に印刷される印刷オブジェクトが決定される（Ｓ３１）。例えば、オブジェクト情報記憶エリア１８０に記憶されている順に印刷オブジェクトを印刷するのであれば、１番目の印刷オブジェクトが印刷する印刷オブジェクトとして決定される（「決定オブジェクト」とする）。そして、全ての印刷オブジェクトの印刷が終了したか否かの判断が行われ（Ｓ３２）、まだ終了していなければ（Ｓ３２：ＮＯ）、決定オブジェクトが回転しているか否かの判断が行われ（Ｓ３３）、オブジェクト情報記憶エリア１８０の回転角度の値が回転を示す値であれば、回転していると判断され（Ｓ３３：ＹＥＳ）、回転を戻した印刷データが作成されて印刷データ記憶エリア１８１に記憶され（Ｓ３４）、次いで、パターンテーブル記憶エリア１８２から回転角度に対応するパターンが取得され（Ｓ３５）、印刷データの四隅にパターンが付加される（Ｓ３６）。そして、作成された印刷データがプリンタ２へ送信され（Ｓ３８）、Ｓ３１へ戻る。
【００３４】
また、印刷オブジェクトが回転していなければ（Ｓ３３：ＮＯ）、オブジェクト情報記憶エリア１８０の情報に基づいて印刷データが作成されて印刷データ記憶エリア１８１に記憶され（Ｓ３７）、そして、作成された印刷データがプリンタ２へ送信され（Ｓ３８）、Ｓ３１へ戻る。そして、Ｓ３１へ戻ったら、次にオブジェクト情報記憶エリア１８０に記憶されている印刷オブジェクトが決定オブジェクトに決定される（Ｓ３１）。そして、全ての印刷オブジェクトの印刷が終了したか否かの判断が行われる。このようにして、繰り返しＳ３１〜Ｓ３８の処理が行われ、全ての印刷オブジェクトについてＳ３３〜Ｓ３８の処理が行われたら（Ｓ３２：ＹＥＳ）、印刷処理は終了し、メイン処理へ戻る。
【００３５】
次に、図８及び図９を参照して、回転角度を示す印の他の例について説明する。図８は、印刷オブジェクトの周囲に飾り枠を設けて、回転角度を示した印刷結果のイメージ図であり、図９は、印刷オブジェクトが重ねて配置され、下に配置されている印刷オブジェクトの模様に合わせた印を付与している印刷結果のイメージ図である。
【００３６】
図８に示すように、印刷結果２０１にはその周囲に飾り枠が印刷されている。この飾り枠の斜線は平行な帯となっており、この帯を台紙の水平方向に平行に配置して張り付ければ、スクラップブッキング編集ウィンドウ１００でイメージしたとおりの傾きに貼り付けられる。つまり、飾り枠の平行な帯が印刷結果２０１を貼り付ける際の目印となっている。尚、図８に示す十字は水平方向及び垂直方向を示している。
【００３７】
また、図９に示すように、印刷結果２０２の一隅には短い線２１２，２２２が付与されている。この線２１２，２２２は印刷結果２０２が貼り付けられる位置の下層に既に貼り付けられている印刷結果２３７の模様の一部の境界線と平行になっている。図９に示すように、印刷結果２３７は直線による波模様を成しており、印刷結果２０２の印刷結果２３７に重なる辺には、印刷結果２３７の模様の境界線から延長された線２１２，２２２が印刷されている。
【００３８】
以上のようにして、回転されているオブジェクトは、回転角度を示す印が付与され、回転されていない状態で印刷されるので、印刷媒体の無駄を省き、且つ、どのくらい回転させて台紙に貼り付ければよいかを知ることができる。
【００３９】
尚、スクラップブッキング編集ウィンドウ１００の作業領域１０３が「表示手段」に該当し、オブジェクト情報記憶エリア１８０が「情報回転角情報記憶手段」に該当する。また、図６に示す編集処理のＳ１６〜Ｓ１８，Ｓ２０の処理を行うＣＰＵ１０が「回転手段」に相当し、図７に示す印刷処理のＳ３４、Ｓ３７の処理を行うＣＰＵ１０が「印刷データ作成手段」に相当し、Ｓ３６の処理を行うＣＰＵ１０が「回転角度表示データ付与手段」に相当する。
【００４０】
尚、本発明の印刷データ編集装置及び印刷データ編集プログラムは、上記した実施の形態に限定されるものではなく、本発明の要旨を逸脱しない範囲内において種々変更を加え得ることは勿論である。例えば、上記実施の形態では、パターンテーブル１８２１は１０°毎にパターンを有していたが、さらに細かく（例えば、１°毎）パターンを持つようにしてもよい。また、パターンは十字印には限らない。例えば、四角、一本の線、二本の平行線などであってもよい。また、上記実施の形態では印刷結果の四隅に配置したが、配置場所や個数はこれに限らない、二隅に二つ配置してもよいし、角でなく辺に配置してもよい。また、印刷結果の飾り枠を設ける場合には、図８に示したような模様である必要はなく、水平方向又は垂直方向のわかりやすい他の模様であってもよい。例えば、格子模様、市松模様、チェック模様などである。また、印刷オブジェクトが重なっている場合に下層に配置される印刷オブジェクトの一部と平行な印をつける場合にも、図９に示したような例に限らない。
【００４１】
また、上記実施の形態では、パターンテーブルに回転させたイメージを記憶しておき、印刷オブジェクトの回転角度に合わせてイメージを選択し、付加した。しかしながら、回転させたイメージを記憶しておくのではなく、印刷オブジェクトの回転角度に合わせて印のイメージを回転させて付加してもよい。例えば、印刷オブジェクトの回転角度が、水平位置から時計回りに回転させた場合の回転角度とされているとすると、印刷オブジェクトがａ°回転しているとした場合には、（３６０−ａ）°回転させた印イメージを付加すればよい。
【００４２】
本発明の印刷データ編集装置及び印刷データ編集プログラムは、印刷後、印刷結果を傾けて使用するような印刷物の印刷データを編集する印刷データ編集装置及び印刷データ編集プログラムに適応可能である。
【図面の簡単な説明】
【００４３】
【図１】本発明の印刷データ編集プログラムを搭載した、印刷データ編集装置１の電気的構成を示すブロック図である。
【図２】スクラップブッキング編集ウィンドウ１００のイメージ図である。
【図３】パターンテーブル１８２１の模式図である。
【図４】図２の写真オブジェクト１１２に図３に示した印が付与された印刷結果２００のイメージ図である。
【図５】メイン処理の主な処理を示したフローチャートである。
【図６】メイン処理の中で実施される編集処理のフローチャートである。
【図７】メイン処理の中で実施される印刷処理のフローチャートである。
【図８】印刷オブジェクトの周囲に飾り枠を設けて、回転角度を示した印刷結果のイメージ図である。
【図９】印刷オブジェクトが重ねて配置され、下に配置されている印刷オブジェクトの模様に合わせた印を付与している印刷結果のイメージ図である。
【符号の説明】
【００４４】
１  印刷データ編集装置
２  プリンタ
１８  ハードディスク装置
３３  マウス
３４  ディスプレイ
３５  キーボード
１００  スクラップブッキング編集ウィンドウ
１０１  スクラップブックイメージ
１０２  ツールバー
１０３  作業領域
１１１  写真オブジェクト
１１２  写真オブジェクト
１２１  文字オブジェクト
１２２  文字オブジェクト
１３１  イラストオブジェクト
１３２  イラストオブジェクト
１３３，１３４，１３５，１３６  イラストオブジェクト
１３７  イラストオブジェクト
１８０  オブジェクト情報記憶エリア
１８１  印刷データ記憶エリア
１８２  パターンテーブル記憶エリア
２００  印刷結果
２０１  印刷結果
２０２  印刷結果
２１０，２２０，２３０，２４０  十字印
２１２，２２２  線
２３７  印刷結果
１８２１  パターンテーブル
【図１】
2006099325.tif 000003
【図２】
2006099325.tif 000004
【図３】
2006099325.tif 000005
【図４】
2006099325.tif 000006
【図５】
2006099325.tif 000007
【図６】
2006099325.tif 000008
【図７】
2006099325.tif 000009
【図８】
2006099325.tif 000010
【図９】
2006099325.tif 000011